(57)【要約】【課題】スタンドと筐体の着脱構造において、締結強度を高めながらも、弱い操作力で取付けたり取り外したりする。【解決手段】筐体１とスタンド２との着脱構造であって、筐体１は２本の溝部が形成されており、スタンド２は、筐体１の２本の溝部にそれぞれ嵌合する爪部２３ａ，２３ｂが形成された２組のガイド２２ａ，２２ｂとガイド２２ｃ，２２ｄを備える。筐体１の２本の溝には、それぞれ嵌合した爪部２３ａ，２３ｂが溝の方向にスライドすることを規制する突起部１２ａ，１２ｂが形成されている、【選択図】図１
2020072124.tif 000002
【特許請求の範囲】
【請求項１】
筐体とスタンドとの着脱構造であって、
前記筐体および前記スタンドのうち一方は、２本の溝が形成されており、
前記筐体および前記スタンドのうち他方は、前記２本の溝にそれぞれ嵌合する爪が形成された２つの弾性体を備え、
前記２本の溝には、それぞれ嵌合した前記爪が前記溝の方向にスライドすることを規制する突起が形成されている、
ことを特徴とする着脱構造。
【請求項２】
前記２本の溝には、それぞれ前記爪の幅だけ離間した２つの突起が形成されている、
ことを特徴とする請求項１に記載の着脱構造。
【請求項３】
前記２本の溝には、それぞれ１つの突起が形成されており、
前記爪には、当該突起と嵌合する凹部が形成されている、
ことを特徴とする請求項１に記載の着脱構造。
【請求項４】
筐体とスタンドとの着脱構造であって、
前記筐体および前記スタンドのうち一方は、２本の溝が形成されており、
前記筐体および前記スタンドのうち他方は、前記２本の溝の片側にそれぞれ嵌合する爪が形成された２つの弾性体を備え、
前記２本の溝の片側には、それぞれ嵌合した前記爪が前記溝の方向にスライドすることを規制する切欠が形成されている、
ことを特徴とする着脱構造。
【請求項５】
前記２本の溝は、紡錘状を成し、
前記２つの弾性体に形成された爪は対向しており、前記２本の溝のうち、間隔が最も広い位置に嵌合する、
ことを特徴とする請求項１または４に記載の着脱構造。
【請求項６】
前記２本の溝が紡錘状を成す部分と、紡錘状を成す部分の溝に嵌合する爪が形成された２つの弾性体の組合せを複数備える、
ことを特徴とする請求項５に記載の着脱構造。
【請求項７】
前記２本の溝は、糸巻き状を成し、
前記２つの弾性体に形成された爪は背向しており、前記２本の溝のうち、間隔が最も狭い位置に嵌合する、
ことを特徴とする請求項１または４に記載の着脱構造。
【請求項８】
前記２本の溝が糸巻き状を成す部分と、糸巻き状を成す部分の溝に嵌合する爪が形成された２つの弾性体の組合せを複数備える、
ことを特徴とする請求項７に記載の着脱構造。
【請求項９】
前記爪の両側はテーパ状に形成されている、
ことを特徴とする請求項１または４に記載の着脱構造。
【請求項１０】
前記筐体および前記スタンドには、前記２つの弾性体が備える爪が前記２本の溝に、正しい位置で嵌合したことを示すマークが付与されている、
ことを特徴とする請求項１または４に記載の着脱構造。
【発明の詳細な説明】
【技術分野】
【０００１】
本発明は、筐体とスタンドの着脱構造に関する。
【背景技術】
【０００２】
近年の電子装置の普及により、無線ＬＡＮ（Local Area Network）ルータやスマートフォンなどが一般家庭にも多く導入されるようになった。このような電子装置は、スタンドと筐体の着脱にコツや、大きな操作力が必要なことがあり、上記の操作の仕方によっては構造部が破損することがあった。また、破損しないまでも大きな音や不快な感触によりユーザの不安を誘発することがあった。
【０００３】
筐体とスタンドとの着脱の操作感を十分な品質にするため、電子装置の筐体やスタンドの設計寸法を調整しなければならず、多くの手間がかかり、かつ品質が生産中に変化することがあった。また、電子装置の筐体に対するスタンドの取付け位置や方向が限定されていたため、電子装置の設置スタイルが限られていた。
【０００４】
特許文献１には、筐体へのカバーの着脱構造に関する発明が記載されている。この発明は、第１のロック構造と第２のロック構造とのロック解除方向が異なった方向を向いているため、単一方向の衝撃が連続してもカバーが外れることがなくなる効果を奏する。
【先行技術文献】
【特許文献】
【０００５】
【特許文献１】特許第４２０５７１０号公報
【発明の概要】
【発明が解決しようとする課題】
【０００６】
特許文献１に記載されている発明は、衝撃によるカバー外れに対しては有効である。しかし、第１のロック構造と第２のロック構造を解除しなければカバーを外すことができないという問題点があり、これをスタンドと筐体との着脱構造に、そのまま適用すると不便である。
【０００７】
そこで、本発明は、スタンドと筐体の着脱構造において、締結強度を高めながらも、弱い操作力で取り付けたり取り外したりすることを課題とする。
【課題を解決するための手段】
【０００８】
本発明は、上記目的を達成するため、筐体とスタンドとの着脱構造であって、前記筐体および前記スタンドのうち一方は、２本の溝が形成されており、前記筐体および前記スタンドのうち他方は、前記２本の溝にそれぞれ嵌合する爪が形成された２つの弾性体を備え、前記２本の溝には、それぞれ嵌合した前記爪が前記溝の方向にスライドすることを規制する突起が形成されていることを特徴とする着脱構造である。
【０００９】
本発明は、筐体とスタンドとの着脱構造であって、前記筐体および前記スタンドのうち一方は、２本の溝が形成されており、前記筐体および前記スタンドのうち他方は、前記２本の溝の片側にそれぞれ嵌合する爪が形成された２つの弾性体を備え、前記２本の溝の片側には、それぞれ嵌合した前記爪が前記溝の方向にスライドすることを規制する切欠が形成されている、ことを特徴とする着脱構造である。
【発明の効果】
【００１０】
本発明によれば、スタンドと筐体の着脱構造において、締結強度を高めながらも、弱い操作力で取付けや取り外しが可能となる。
【図面の簡単な説明】
【００１１】
【図１】第１の実施形態における無線ＬＡＮルータの筐体とスタンドの外観図である。
【図２】筐体の三面図である。
【図３】スタンドの三面図である。
【図４】スタンド要部の拡大図である。
【図５】筐体の下面をスタンドに取付けた状態を示す図である。
【図６】筐体の下面をスタンドに取付けた状態を背面側から見た図である。
【図７】筐体をスタンドから取り外している状態を示す図である。
【図８】筐体の側面に形成された溝部の拡大図である。
【図９】溝部の断面図である。
【図１０】筐体の側面をスタンドに取付けた状態を示す三面図である。
【図１１】筐体の側面をスタンドに取付けた状態を示す斜視図である。
【図１２】第２の実施形態における無線ＬＡＮルータの筐体とスタンドの外観図である。
【図１３】第３の実施形態における無線ＬＡＮルータの筐体とスタンドの着脱構造を示す図である。
【図１４】第４の実施形態における無線ＬＡＮルータの筐体とスタンドの着脱構造を示す図である。
【図１５】第５の実施形態における無線ＬＡＮルータの筐体とスタンドの着脱構造を示す図である。
【図１６】筐体とスタンドの嵌合位置が誤っているときのマーカを示す図である。
【図１７】筐体とスタンドの嵌合位置が正しいときのマーカを示す図である。
【発明を実施するための形態】
【００１２】
以降、本発明を実施するための形態を、各図を参照して詳細に説明する。
図１は、第１の実施形態における無線ＬＡＮルータの筐体１とスタンド２の外観図である。
図１に示す無線ＬＡＮルータは、無線ＬＡＮアクセスポイント機能を備えたルータである。この無線ＬＡＮルータの筐体１の左側面１５は、略正方形であり、この左側面１５の中央部１６を囲うように溝部１３ａ，１３ｃが形成されている。この筐体１の詳細について、図２に示した三面図で説明する。
溝部１３ｃの中央部１６側には、切欠部１４ｂが形成されている。溝部１３ａにも中央部１６側に、切欠部１４ａが切欠部１４ｂと対称に形成されている。溝部１３ａ，１３ｃは、後記するスタンド２の爪部２３ａ，２３ｂの間隔よりも僅か狭い間隔で形成されている。
【００１３】
図２に示すように、筐体１は中央部分が端部よりも厚い。図１に示すように、筐体１の背面１８１と上面１７１は紡錘状であり、図２に示すように前面１８と下面１７も紡錘状である。
図１と図２に示すように、左側面１５の下辺には、溝部１１ａ〜１１ｃおよび突起部１２ａ，１２ｂが形成されている。また図２に示すように、左側面１５の裏側である右側面１５１にも、左側面１５の溝部１１ａ〜１１ｃおよび突起部１２ａ，１２ｂと対称的に、溝部１１ｆとその他の溝部と突起部（不図示）が形成されている。
【００１４】
スタンド２の長さは、左側面１５の一辺の長さと略同一であり、かつ筐体１の下面１７の長さと略同一である。このスタンド２の詳細について、図３と図４で詳細に説明する。
【００１５】
図３に示すように、スタンド２は、両側に円形に張り出した脚部２１と、脚部２１とスタンド２の本体との接合点に形成されたネジ穴２５，２６を備える。ガイド２２ａ，２２ｂとガイド２２ｃ，２２ｄは、スタンド２の接触面３と一体成形されており、その接触面３の側面から上方に張り出している。
【００１６】
爪部２３ａは、ガイド２２ａ，２２ｂ間に形成されている。爪部２３ｂは、ガイド２２ａ，２２ｂ間に形成されている。爪部２３ａ，２３ｂは、対向する向きに形成されており、かつ筐体１の下面１７の中央幅よりも僅かに狭く離間している。爪部２３ａの長さは、筐体１の左側面１５に形成された溝部１１ｂの長さと略等しく、かつ切欠部１４ｂの長さと略等しい。同様に爪部２３ｂの長さは、右側面１５１（図２参照）に設けられた中央の溝部の長さと略等しく、かつ切欠部１４ｂと対称に形成された溝部１３ａの切欠部１４ａ（図２参照）の長さと略等しい。
【００１７】
図４は、スタンド２の中央の接触面３の拡大図である。
スタンド２の接触面３は矩形に盛り上がるように形成されている。その接触面３の側面の一方には、ガイド２２ａ，２２ｂと、これらガイド２２ａ，２２ｂに支持された爪部２３ａが形成されている。これにより、接触面３は、筐体１の下面１７と接触する。
【００１８】
スタンド２の接触面３の側面の他方には、ガイド２２ｃ，２２ｄと、これらガイド２２ｃ，２２ｄに支持された爪部２３ｂが形成されている。爪部２３ｂは左右方向に長く形成されており、その両端は次第に細くなるテーパ状に形成されている。このテーパ状の部分が筐体１の突起部１２ａ，１２ｂを乗り越えることで、筐体１とスタンド２を容易に取り外すことができる。
【００１９】
爪部２３ｂは更に、最下部が最も太く、上方にゆくほど次第に細くかつ爪部２３ａの対称部分から離間するように形成される。爪部２３ａは、爪部２３ｂと対称に形成されている。これにより、爪部２３ａ，２３ｂが外側に拡がるので、図４の上方から筐体１を容易に挿入可能としている。爪部２３ａ，２３ｂは、下部が最も太くなっているので、溝部に嵌合した筐体１が図４の上方に抜けない構造を実現している。
【００２０】
図１に戻り説明を続ける。スタンド２の爪部２３ａ，２３ｂの間に筐体１の下面１７を図１の下方向に押し付けるようにすると、爪部２３ａ，２３ｂが左側面１５の溝部１１ｂと右側面１５１の溝部に嵌合し、よってスタンド２を筐体１に嵌合させることができる。筐体１の下面１７に接触して嵌合したスタンド２は、図１の左右方向にスライドさせることにより、筐体１から容易に取り外すことができる。
【００２１】
図４に示したスタンド２の爪部２３ａ，２３ｂの間に、図２に示した筐体１の左側面１５の溝部１３ａ，１３ｃを押し付けるようにすると、爪部２３ａ，２３ｂが溝部１３ａ，１３ｃに嵌合し、よってスタンド２を筐体１に嵌合させることができる。筐体１の左側面１５に嵌合したスタンド２は、図２の左右方向にスライドさせることにより、筐体１から容易に取り外すことができる。
【００２２】
以下、筐体１の左側面１５の溝部１１ｂと右側面１５１の溝部にスタンド２を嵌合させて縦置きとする実施形態を、図５から図７によって説明する。
【００２３】
図５は、筐体１の下面１７をスタンド２に取付けた状態を示す図である。
爪部２３ａは、筐体１の左側面１５に形成された溝部１１ｂに嵌合している。不図示の爪部２３ｂは、筐体１の右側面１５１に対称的に形成された溝部（不図示）に嵌合している。爪部２３ａは弾性体のガイド２２ａ，２２ｂで支持され、爪部２３ｂは弾性体のガイド２２ｃ，２２ｄで支持されている。爪部２３ａ，２３ｂは、筐体１の下側に形成された溝を挟むことにより、この筐体１が上下方向に抜けないように規制している。更に爪部２３ａと、図１に示した突起部１２ａ，１２ｂとは、筐体１が左右方向にずれないように規制している。
脚部２１は、スタンド２の横方向に円形に張り出すことで、筐体１が図の前後方向に倒れないように支持している。
【００２４】
図６は、筐体１の下面１７をスタンド２に取付けた状態を背面１８１の側から見た図である。
図６におけるスタンド２の右側は、図５に示す左側面１５の側であり、溝部１１ａと溝部１１ｂ，１１ｃ（図１参照）および突起部１２ａ，１２ｂ（図１参照）が形成されている。この溝部１１ｂには、爪部２３ａが嵌合している。
【００２５】
図６におけるスタンド２の左側は右側面１５１の側であり、溝部１１ｄと、２つの突起部（不図示）、これら突起部で分けられた２つの溝部（不図示）が形成されている。右側面１５１側の溝部には、爪部２３ｂが嵌合している。
つまりスタンド２の爪部２３ａ，２３ｂは、左側面１５の溝部１１ｂと右側面１５１の溝部とを挟むことにより、筐体１を固定している。
【００２６】
図６におけるスタンド２の左右には、脚部２１と、その下部に接着されたゴム２４とが設けられている。これによりスタンド２は、筐体１が図の左右方向に倒れないように支持することができる。
【００２７】
図７は、筐体１をスタンド２から取り外している状態を示す図である。
筐体１の下面１７をスタンド２に取付けた状態において、筐体１を図７の左右いずれかの方向にずらすことにより、筐体１はスタンド２から取り外すことができる。図７では、スタンド２に対して筐体１を右方向にずらしている。
【００２８】
スタンド２を図７の右方向にずらすことにより、爪部２３ａは突起部１２ａを乗り越えて溝部１１ａと嵌合する。爪部２３ｂも同様に右側面１５１の突起部を乗り越えて、右側面１５１の溝部と嵌合する。溝部１１ａと右側面１５１の溝部は、筐体１の左側に近づくにつれて狭まっている。筐体１を更に右方向にずらすと、爪部２３ａ，２３ｂと、溝部１１ａおよび右側面１５１の溝部との嵌合は次第に弱まってゆき、筐体１はスタンド２から取り外される。
このような操作を可能とするスタンド２の構成の詳細について、前記した図３と図４で説明している。
【００２９】
取付け操作方向と、取り外し操作方向が大きく異なる構造にしたので、筐体１の下面１７に嵌合したスタンド２を誤って取り外してしまうことを防ぐことができる。スタンド２と筐体１の締結強度を高めながらも、弱い操作力で取付けと取り外しが可能となり、構造が破損するリスクが大幅に低減された。更に取付け操作時と取り外し操作時の異音がしなくなったため、ユーザの心理的不安が低減した。また、設計工数が低減し、生産安定性が向上した。
【００３０】
また、下面１７に限らず左側面１５にもスタンド２を取付けることができる。このように、筐体１に取付け部分を多数設けることができたので、設置スタイルを増やすことができた。
筐体１の左側面１５の溝部１３ａ，１３ｃにスタンド２を嵌合させて平置きとする実施形態を、図８から図１１によって説明する。
【００３１】
図８は、筐体１の左側面１５に形成された溝部１３ａ，１３ｃの拡大図である。図９は、溝部１３ａの断面図であり、一点鎖線でスタンド２のガイド２２ａ，２２ｂと爪部２３ａとが示されている。
【００３２】
溝部１３ａ，１３ｃは、左側面１５の中央に形成されており、略並行である。溝部１３ａのうち中央部１６側には、切欠部１４ａが形成されている。切欠部１４ａの長さは、爪部２３ａの長さより僅かに長い。これにより爪部２３ａは切欠部１４ａに嵌合することができる。
【００３３】
溝部１３ａは更に、その両端にスロープが設けられている。これにより、スタンド２を左右にスライドさせて取り外す際に、スタンド２を図９の上方向にガイドすることができる。
【００３４】
図１０は、筐体１の左側面１５にスタンド２を取付けた状態を示す三面図である。
スタンド２を筐体１の左側面１５に相対的に押し込むことにより、スタンド２と筐体１とを嵌合させることができる。具体的にいうと、スタンド２の爪部２３ａ，２３ｂが溝部１３ａ，１３ｃに挿入され、切欠部１４ａ，１４ｂに嵌合する。
【００３５】
図１１は、筐体１からスタンド２を取り外す状態を示す斜視図である。
筐体１の左側面１５の中央にスタンド２が嵌合しているとき、これら筐体１とスタンド２とを左右方向に相対的にずらすことにより、筐体１からスタンド２を取り外すことができる。具体的にいうと、図４で示したようにスタンド２の爪部２３ａ，２３ｂは、左右両側がテーパ状に形成されているので、図２で示した切欠部１４ａ，１４ｂを乗り越えることができる。
更に図９に示すスロープ状の溝形状により、左右方向の力が上下方向に離間する力として働き、図１１に示すように、スタンド２は筐体１に対して斜めにずれて外れる。
【００３６】
本実施形態の筐体１とスタンド２は、取付け操作方向と、取り外し操作方向が大きく異なる構造にした。図１１の下方向に筐体１をスタンド２に押し付けるようにして取付けて、筐体１とスタンド２とを図１１の左右方向にスライドさせて取り外す。スタンド２と筐体１の締結強度を高めながらも、弱い操作力で取付けと取り外しが可能となった。更に、構造が破損するリスクが大幅に低減され、操作時の異音がしなくなったため心理的不安が低減し、設計工数が低減して生産安定性が向上した。
【００３７】
筐体１の縦置き時には、スタンドが取り付く本体部分の厚みとその周囲の厚みに変化をつけた。筐体１の平置き時には、スタンドが取り付く本体の溝の内部形状をスロープ状にした。これにより筐体１に取付け部分を多数設けることができ、設置スタイルが増えた
更に筐体１の基本形状を点対称とし、スタンド２の形状を線対称とした。これにより、どの取付け方も許容する構造なので、スタンド２の取付け方向に悩むことがなくなった。
【００３８】
図１２は、第２の実施形態における無線ＬＡＮルータの筐体１ａとスタンド２ａの外観図である。
第２実施形態の筐体１ａは、左側面１５の溝部に単一の突起部１２ｅが形成されている。右側面１５１の溝部にも対称的に単一の突起部が形成されている。
スタンド２ａの爪部２７ａ，２７ｂには、その中央に縦溝（凹部）が形成されている。この縦溝が左側面１５の単一の突起部１２ｅと右側面１５１の単一の突起部に嵌合することで、スタンド２ａと筐体１ａとは左右方向に規制される。
【００３９】
図１３は、第３の実施形態における無線ＬＡＮルータの筐体１ｂとスタンド２ｂの着脱構造を示す図である。
筐体１ｂの左側面１５の下部には、溝部１１ａ〜１１ｅが形成される。不図示の右側面の下部も、対称的に溝部が形成される。左側面１５の溝部１１ａ，１１ｂ，１１ｃの一連の構造と、これと対称的な右側面の溝部の構造は紡錘状を成す。左側面１５の溝部１１ｃ，１１ｄ，１１ｅの一連の構造と、これと対称的な右側面の溝部の構造も紡錘状を成す。
【００４０】
スタンド２ｂには、溝部１１ｂとその裏側の溝に嵌合する爪部２８ａ，２８ｂと、溝部１１ｄとその裏側の溝に嵌合する爪部２８ｃ，２８ｄとが形成される。これら爪部２８ａと爪部２８ｃは、それぞれ弾性体として形成されている。爪部２８ｂと爪部２８ｄも、それぞれ弾性体として形成されている。
このように、２本の溝が紡錘状を成す部分と、紡錘状を成す部分の溝に嵌合する爪が形成された２つの弾性体の組合せを複数備えていてもよい。これにより、筐体１ｂは、スタンド２ｂに対して、より強固に嵌合される。
【００４１】
図１４は、第４の実施形態における無線ＬＡＮルータと筐体１ｃとスタンド２ｃの着脱構造を示す図である。
筐体１ｃの下面１７には、対称的に溝部１９ａ，１９ｂが形成される。溝部１９ｂには切欠部１９１ｂが形成され、溝部１９ａにも切欠部１９１ｂと対称的な切欠部が形成されている。溝部１９ａ，１９ｂは、糸巻き状を成す。
スタンド２ｃは、互いに背向した爪部２９ａ，２９ｂが弾性体として形成されており、溝部１９ａ，１９ｂのうち間隔が最も狭い位置に嵌合する。
なお、２本の溝部が糸巻き状を成す部分と、糸巻き状を成す部分の溝部に嵌合する爪部が形成された２つの弾性体の組合せを複数備えてもよい。このように形成することで、筐体１ｃとスタンド２ｃが嵌合したときに、その嵌合構造が外部に露呈しなくなる。
【００４２】
図１５は、第５の実施形態における無線ＬＡＮルータと筐体１ｄとスタンド２ｄを示す図である。
筐体１ｄの左側面１５には、溝部１１ａ〜１１ｃと突起部１２ａ，１２ｂが形成されている。右側面にも対称的に、溝部と２つの突起部が形成されている。筐体１ｄの下面１７には、縞模様１０が形成されている。
【００４３】
スタンド２ｄは透明な材料で形成されており、縞模様２０が形成されている。スタンド２ｄの両側面には、弾性体で支持された爪部２９ａ，２９ｂが対向するように形成されている。
【００４４】
図１６は、筐体１ｄとスタンド２ｄの嵌合位置が誤っているときのマーカを示す図である。
筐体１ｄの縞模様１０は、透明材料で形成されたスタンド２ｄが嵌合された状態で見ることができる。筐体１ｄとスタンド２ｄの嵌合位置が誤っているとき、縞模様１０と縞模様２０とは重ならず、それぞれが交互に見える。
【００４５】
図１７は、筐体１ｄとスタンド２ｄの嵌合位置が正しいときのマーカを示す図である。
筐体１ｄとスタンド２ｄの嵌合位置が正しいとき、縞模様１０と縞模様２０とは重なって見える。
第５の実施形態のように、筐体１ｄにマーカとしての縞模様１０を形成し、スタンド２ｄにマーカとしての縞模様２０を形成することにより、両者が正しく嵌合していることを容易に視認可能となる。なお、マーカは縞模様に限られない。更にマーカを筐体とスタンドのうち一方だけに形成して、他方の構造とのずれによって嵌合状況を示してもよい。
【００４６】
本実施形態の筐体とスタンドの着脱構造は、取付けが押し込むだけの容易な操作であり操作力も小さい。また、一度取付けると十分固定されて容易にはずれないという特徴を有する。
取り外し動作は取付け動作の反転ではなく、異なる操作方向である。また操作力も小さいという特徴を有する。
【００４７】
（変形例）
本発明は、上記実施形態に限定されることなく、本発明の趣旨を逸脱しない範囲で、変更実施が可能であり、例えば、次の（ａ）〜（ｋ）のようなものがある。
【００４８】
（ａ）  ウェブカメラやアクションカメラの固定用構造として着脱容易性を訴求してもよい。
（ｂ）  充電が必要な機器の接続部分に適用してもよい。本発明の着脱構造によれば、電気接点を確実に保持しつつ、取り外す際は横方向のスライドにより簡単に外すことができる。
（ｃ）  スマートフォン用周辺機器に応用してもよい。
【００４９】
（ｄ）  スマートホーム用のセンサ装置において、当該着脱構造を用いてもよい。これにより、センサ装置などに偶発的またはいたずらで外されにくい特徴を付加することができる。
（ｅ）  液晶表示装置へのオプション取付けの構造としてもよい。
（ｆ）  ゲーミング向けヘッドフォンホルダや左右取付けフード、小物置きやＩＣタグリーダ・ライタに適用してもよい。
（ｇ）  サイネージ用ＰＯＰ（Point of purchase advertising）追加取付けやチューナモジュール等の取付け構造、マルチモニタ用ディスプレイアダプタ取付け構造や、小型コンピュータのモジュール拡張時の取付け構造に適用してもよい。
【００５０】
（ｈ）  キャプチャデバイスとビデオカメラや一眼レフ、スマホとドッキングしてハンドリングしやすいモバイルストリーミングシステムに応用してもよい。
（ｉ）  カラオケマイクとスマホを着脱してパーソナルカラオケシステムを訴求する際に応用してもよい。
（ｊ）  着脱動作を検知してフィードバックしたり、機器の動作を変化させる等のスマート化を行わせてもよい。
（ｋ）  各実施形態において、溝がスタンドに形成され、筐体に爪が形成されていてもよい。
【符号の説明】
【００５１】
１，１ａ〜１ｄ  筐体
１０  縞模様
１１ａ〜１１ｆ  溝部
１２ａ〜１２ｄ  突起部
１３ａ，１３ｃ  溝部
１４ａ，１４ｂ  切欠部
１５  左側面
１５１  右側面
１６  中央部
１７  下面
１７１  上面
１８  前面
１８１  背面
１９ａ，１９ｂ  溝部
１９１ａ，１９１ｂ  切欠部
２，２ａ〜２ｄ  スタンド
２０  縞模様
２１  脚部
２２ａ〜２２ｄ  ガイド  （弾性体）
２３ａ，２３ｂ，２７ａ，２７ｂ，２８ａ〜２８ｄ，２９ａ，２９ｂ  爪部
２４  ゴム
２５，２６  ネジ穴
３  接触面
【図１】
2020072124.tif 000003
【図２】
2020072124.tif 000004
【図３】
2020072124.tif 000005
【図４】
2020072124.tif 000006
【図５】
2020072124.tif 000007
【図６】
2020072124.tif 000008
【図７】
2020072124.tif 000009
【図８】
2020072124.tif 000010
【図９】
2020072124.tif 000011
【図１０】
2020072124.tif 000012
【図１１】
2020072124.tif 000013
【図１２】
2020072124.tif 000014
【図１３】
2020072124.tif 000015
【図１４】
2020072124.tif 000016
【図１５】
2020072124.tif 000017
【図１６】
2020072124.tif 000018
【図１７】
2020072124.tif 000019